【手続補正書】
【提出日】平成26年11月18日(2014.11.18)
【手続補正１】
【補正対象書類名】明細書
【補正対象項目名】０００５
【補正方法】変更
【補正の内容】
【０００５】
［１］  第１の本発明に係る導電シートは、第１導電部と第２導電部とが基体を介して対向して配置され、前記第１導電部は、一方向に配列された金属細線による２以上の第１導電パターンを有し、前記第２導電部は、前記一方向と略直交する方向に配列された金属細線による２以上の第２導電パターンを有し、前記第１導電パターンは、金属細線による２以上の第１感知部が接続されて構成され、前記第２導電パターンは、金属細線による２以上の第２感知部が接続されて構成され、前記第１感知部及び第２感知部は、複数の小格子が配列されて構成され、前記第１感知部は、前記一方向と略直交する方向に延びる帯状部と、前記帯状部の両側から前記一方向に張り出す張り出し部と、を有し、前記第２感知部は、前記帯状部と前記張り出し部とで区画される領域を略満たすように形成され、上面から見たとき、前記第１導電パターンと前記第２導電パターンとが対向する部分は、複数の前記小格子が組み合わされた形態を有することを特徴とする。
［２］  第１の本発明に係る導電シートにおいて、前記帯状部の幅は、前記帯状部の長さよりも小さいことを特徴とする。
［３］  第１の本発明に係る導電シートにおいて、前記張り出し部の長さは、前記帯状部の幅の１／２以上であることを特徴とする。
［４］  第１の本発明に係る導電シートにおいて、前記張り出し部の幅は、前記張り出し部の長さの１／２以下であることを特徴とする。
［５］  第１の本発明に係る導電シートにおいて、前記第２感知部の前記一方向と直交する方向の長さは、前記第２感知部の前記一方向の長さの０．５倍以上２倍以下であることを特徴とする。
［６］  第１の本発明に係る導電シートにおいて、前記張り出し部は、隣接する前記第１感知部の張り出し部と互いに対向することを特徴とする。
［７］  第１の本発明において、前記小格子の一辺の長さが３０〜５００μｍであり、前記金属細線の線幅が１５μｍ以下であることを特徴とする。
［８］  第１の本発明において、前記基体の厚みが５０μｍ〜３５０μｍであることを特徴とする。
［９］  第２の本発明に係るタッチパネルは、表示パネル上に設置される導電シートを備えるタッチパネルであって、前記導電シートは、第１導電部と第２導電部とが基体を介して対向して配置され、前記第１導電部は、一方向に配列された金属細線による２以上の第１導電パターンを有し、前記第２導電部は、前記一方向と略直交する方向に配列された金属細線による２以上の第２導電パターンを有し、前記第１導電パターンは、金属細線による２以上の第１感知部が接続されて構成され、前記第２導電パターンは、金属細線による２以上の第２感知部が接続されて構成され、前記第１感知部及び第２感知部は、複数の小格子が配列されて構成され、前記第１感知部は、前記一方向と略直交する方向に延びる帯状部と、前記帯状部の両側から前記一方向に張り出す張り出し部と、を有し、前記第２感知部は、前記帯状部と前記張り出し部とで区画される領域を略満たすように形成され、上面から見たとき、前記第１導電パターンと前記第２導電パターンとが対向する部分は、複数の前記小格子が組み合わされた形態を有することを特徴とする。
［１０］  第２の本発明に係るタッチパネルにおいて、前記帯状部の幅は、前記帯状部の長さよりも小さいことを特徴とする。
［１１］  第２の本発明に係るタッチパネルにおいて、前記張り出し部の長さは、前記帯状部の幅の１／２以上であることを特徴とする。
［１２］  第２の本発明に係るタッチパネルにおいて、前記張り出し部の幅は、前記張り出し部の長さの１／２以下であることを特徴とする。
［１３］  第２の本発明に係るタッチパネルにおいて、前記第２感知部の前記一方向と直交する方向の長さは、前記第２感知部の前記一方向の長さの０．５倍以上２倍以下であることを特徴とする。
［１４］  第２の本発明に係るタッチパネルにおいて、前記張り出し部は、隣接する前記第１感知部の張り出し部と互いに対向することを特徴とする。
［１５］  第２の本発明において、前記小格子の一辺の長さが３０〜５００μｍであり、前記金属細線の線幅が１５μｍ以下であることを特徴とする。
［１６］  第２の本発明において、前記基体の厚みが５０μｍ〜３５０μｍであることを特徴とする。
【手続補正２】
【補正対象書類名】明細書
【補正対象項目名】０００９
【補正方法】変更
【補正の内容】
【０００９】
先ず、本実施の形態に係る導電シートが使用されるタッチパネル５０について、図１を参照しながら説明する。
タッチパネル５０は、センサ本体５２と図示しない制御回路（ＩＣ回路等で構成）とを有する。センサ本体５２は、本実施の形態に係るタッチパネル用の導電シート（以下、積層導電シート５４と記す）と、その上に積層された保護層５６とを有する。積層導電シート５４及び保護層５６は、例えば液晶ディスプレイ等の表示装置３０における表示パネル５８上に配置されるようになっている。センサ本体５２は、上面から見たときに、表示パネル５８の表示画面５８ａに対応した領域に配されたセンサ部６０と、表示パネル５８の外周部分に対応する領域に配された端子配線部６２Ａ、６２Ｂ（いわゆる額縁）とを有する。
【手続補正３】
【補正対象書類名】明細書
【補正対象項目名】００１１
【補正方法】変更
【補正の内容】
【００１１】
金属細線１６は例えば金（Ａｕ）、銀（Ａｇ）又は銅（Ｃｕ）で構成されている。金属細線１６の線幅は、下限は１μｍ以上、３μｍ以上、４μｍ以上、もしくは５μｍ以上が好ましく、上限は１５μｍ以下、１０μｍ以下、９μｍ以下、８μｍ以下が好ましい。線幅が上記下限値未満の場合には、導電性が不十分となるためタッチパネル５０に使用した場合に、検出感度が不十分となる。他方、上記上限値を越えると金属細線１６に起因するモアレが顕著になったり、タッチパネル５０に使用した際に視認性が悪くなったりする。なお、上記範囲にあることで、金属細線１６による導電パターンのモアレが改善され、視認性が特によくなる。また、少なくとも第１透明基体１２Ａの厚みは５０μｍ以上３５０μｍ以下が好ましく、さらに好ましくは７５μｍ以上２５０μｍ以下であり、特に好ましくは１００μｍ以上２００μｍ以下となっている。
【手続補正４】
【補正対象書類名】明細書
【補正対象項目名】００１７
【補正方法】変更
【補正の内容】
【００１７】
図４に示すように、水平方向に隣接する第１大格子６８Ａ間には、これら第１大格子６８Ａを接続する金属細線１６による第１接続部８０Ａが形成されている。第１接続部８０Ａは、ｎ個（ｎは１より大きい整数）の小格子７４が第１傾斜方向に配列された大きさの第１中格子８２Ａと、小格子７４が第１傾斜方向にｐ個（ｐは１より大きい整数）、第２傾斜方向にｑ個（ｑは１より大きい整数）の小格子７４がｐ×ｑで配列された大きさの第１中格子８４Ａによって構成されている。図４の例では、第１中格子８２Ａは、ｎが７であり、７個分の小格子７４が第１傾斜方向に配列された大きさを有し、第１中格子８４Ａは、第１傾斜方向のｐが３、第２傾斜方向のｑが５であり、合計１５個分の小格子７４が配列された大きさを有する。
【手続補正５】
【補正対象書類名】明細書
【補正対象項目名】００１８
【補正方法】変更
【補正の内容】
【００１８】
さらに、垂直方向に隣接する第１導電パターン６４Ａ間は、それぞれの第１大格子６８Ａを互いに非接続とする第１非接続部８６Ａが配されている。第１非接続部８６Ａは、隣接する第１導電パターン６４Ａの張り出し部７２の先端の間に位置する。すなわち、隣接する第１導電パターン６４Ａの張り出し部７２は、第１非接続部８６Ａを挟んで対向している。
【手続補正６】
【補正対象書類名】明細書
【補正対象項目名】００２３
【補正方法】変更
【補正の内容】
【００２３】
この場合に、第１単位パターン９２Ａの大きさ、すなわち、第１単位パターン９２Ａの縦横比（Ｌｖａ／Ｌｈａ）は、
０．５７＜Ｌｖａ／Ｌｈａ＜１．７４
を満足するように設定される。
水平方向（ｍ方向）がタッチパネル５０が設置される表示装置３０（図１参照）の画素の配列方向と同じであれば、上述の第１単位パターン９２Ａの縦横比（Ｌｖａ／Ｌｈａ）は、０．５７＜Ｌｖａ／Ｌｈａ＜１．００あるいは１．００＜Ｌｖａ／Ｌｈａ＜１．７４に設定され、より好ましくは０．６２＜Ｌｖａ／Ｌｈａ＜０．８１あるいは１．２３＜Ｌｖａ／Ｌｈａ＜１．６１に設定される。
【手続補正７】
【補正対象書類名】明細書
【補正対象項目名】００３０
【補正方法】変更
【補正の内容】
【００３０】
図６に示すように、垂直方向に隣接する第２大格子６８Ｂ間には、これら第２大格子６８Ｂを接続する金属細線１６による第２接続部８０Ｂが形成されている。第２接続部８０Ｂは、ｎ個（ｎは１より大きい整数）の小格子７４が第２傾斜方向（ｙ方向）に配列された大きさの第２中格子８２Ｂと、小格子７４が第２傾斜方向にｐ個（ｐは１より大きい整数）、第１傾斜方向にｑ個（ｑは１より大きい整数）の小格子７４がｐ×ｑで配列された大きさの第２中格子８４Ｂによって構成されている。図６の例では、第２中格子８２Ｂは、ｎが７であり、７個分の小格子７４が第２傾斜方向に配列された大きさを有し、第２中格子８４Ｂは、第１傾斜方向のｐが５、第２傾斜方向のｑが３であり、合計１５個分の小格子７４が配列された大きさを有する。
【手続補正８】
【補正対象書類名】明細書
【補正対象項目名】００３６
【補正方法】変更
【補正の内容】
【００３６】
この場合に、第２単位パターン９２Ｂの大きさ、すなわち、第２単位パターン９２Ｂの縦横比（Ｌｖｂ／Ｌｈｂ）は、
０．５７＜Ｌｖｂ／Ｌｈｂ＜１．７４
を満足するように設定される。
垂直方向（ｎ方向）がタッチパネル５０が設置される表示装置３０（図１参照）の画素の配列方向と同じであれば、上述の第２単位パターン９２Ｂの縦横比（Ｌｖｂ／Ｌｈｂ）は、０．５７＜Ｌｖｂ／Ｌｈｂ＜１．００あるいは１．００＜Ｌｖｂ／Ｌｈｂ＜１．７４に設定され、より好ましくは０．６２＜Ｌｖｂ／Ｌｈｂ＜０．８１あるいは１．２３＜Ｌｖｂ／Ｌｈｂ＜１．６１に設定される。
【手続補正９】
【補正対象書類名】明細書
【補正対象項目名】００３７
【補正方法】変更
【補正の内容】
【００３７】
第２単位パターン９２Ｂの垂直方向の距離Ｌｖｂと、水平方向の距離Ｌｈｂのそれぞれの下限値は、２ｍｍ以上、３ｍｍ以上、もしくは４ｍｍ以上であることが好ましく、上限値は、１６ｍｍ以下、１２ｍｍ以下、もしくは８ｍｍ以下であることが好ましい。それぞれの距離が、上記下限値未満であると、第２導電シート１０Ｂをタッチパネル５０に利用した場合に、検出時の単位パターンを構成する第２大格子６８Ｂの静電容量が減るため、検出不良になる可能性が高くなる。他方、上記上限値を超えると、位置検出精度が低下する虞がある。
【手続補正１０】
【補正対象書類名】明細書
【補正対象項目名】００７８
【補正方法】変更
【補正の内容】
【００７８】
［現像処理］
本実施の形態では、乳剤層を露光した後、さらに現像処理が行われる。現像処理は、銀塩写真シートや印画紙、印刷製版用シート、フォトマスク用エマルジョンマスク等に用いられる通常の現像処理の技術を用いることができる。
本発明における現像処理は、未露光部分の銀塩を除去して安定化させる目的で行われる定着処理を含むことができる。本発明における定着処理は、銀塩写真シートや印画紙、印刷製版用シート、フォトマスク用エマルジョンマスク等に用いられる定着処理の技術を用いることができる。
現像、定着処理を施した感光材料は、水洗処理や安定化処理を施されるのが好ましい。
現像処理後の露光部に含まれる金属銀の質量は、露光前の露光部に含まれていた銀の質量に対して５０質量％以上の含有率であることが好ましく、８０質量％以上であることがさらに好ましい。露光部に含まれる銀の質量が露光前の露光部に含まれていた銀の質量に対して５０質量％以上であれば、高い導電性を得ることができるため好ましい。
【手続補正１１】
【補正対象書類名】明細書
【補正対象項目名】００９５
【補正方法】変更
【補正の内容】
【００９５】
表４から、参考例１１は視認性については良好であったが、検出感度が悪かった。これは、第１透明基体１２Ａの厚みが３０μｍと薄いため、第１導電パターン６４Ａと第２導電パターン６４Ｂとの間の寄生容量が大きく、この寄生容量の存在により、検出感度が悪化したものと考えられる。参考例１２は検出感度及び視認性共に評価が悪かった。これは、第１透明基体１２Ａの厚みが４００μｍと非常に厚いため、自己容量方式の場合においては、第２導電パターン６４Ｂにおいて指のタッチ位置が認識し難くなり、相互容量方式の場合においては、第２導電パターン６４Ｂ（駆動電極）からの発信信号が第１導電パターン６４Ａ（受信電極）にて受信し難くなったものと考えられる。また、視認性の評価が悪くなった原因は、第１透明基体１２Ａの厚みが４００μｍと非常に厚いため、透光部での透過率が８０％と低く、透明性が低下したことによる。
これに対して、実施例１１〜１７は共に検出感度及び視認性が良好であった。特に、実施例１３〜１５は検出感度が非常に良好であった。
このことから、第１導電部１４Ａと第２導電部１４Ｂ間に介在する透明基体（ここでは第１透明基体１２Ａ）の厚みは、５０μｍ以上３５０μｍ以下が好ましく、さらに好ましくは８０μｍ以上２５０μｍであり、特に好ましくは１００μｍ以上２００μｍ以下であることがわかる。
【手続補正１２】
【補正対象書類名】特許請求の範囲
【補正対象項目名】全文
【補正方法】変更
【補正の内容】
【特許請求の範囲】
【請求項１】
第１導電部と第２導電部とが基体を介して対向して配置され、
前記第１導電部は、一方向に配列された金属細線による２以上の第１導電パターンを有し、
前記第２導電部は、前記一方向と略直交する方向に配列された金属細線による２以上の第２導電パターンを有し、
前記第１導電パターンは、金属細線による２以上の第１感知部が接続されて構成され、
前記第２導電パターンは、金属細線による２以上の第２感知部が接続されて構成され、
前記第１感知部及び第２感知部は、複数の小格子が配列されて構成され、
前記第１感知部は、前記一方向と略直交する方向に延びる帯状部と、
前記帯状部の両側から前記一方向に張り出す張り出し部と、
を有し、
前記第２感知部は、前記帯状部と前記張り出し部とで区画される領域を略満たすように形成され、
上面から見たとき、前記第１導電パターンと前記第２導電パターンとが対向する部分は、複数の前記小格子が組み合わされた形態を有することを特徴とする導電シート。
【請求項２】
請求項１記載の導電シートにおいて、
前記帯状部の幅は、前記帯状部の長さよりも小さいことを特徴とする導電シート。
【請求項３】
請求項１又は２記載の導電シートにおいて、
前記張り出し部の長さは、前記帯状部の幅の１／２以上であることを特徴とする導電シート。
【請求項４】
請求項１〜３のいずれか１項に記載の導電シートにおいて、
前記張り出し部の幅は、前記張り出し部の長さの１／２以下であることを特徴とする導電シート。
【請求項５】
請求項１〜４のいずれか１項に記載の導電シートにおいて、
前記第２感知部の前記一方向と直交する方向の長さは、
前記第２感知部の前記一方向の長さの０．５倍以上２倍以下であることを特徴とする導電シート。
【請求項６】
請求項１〜５のいずれか１項に記載の導電シートにおいて、
前記張り出し部は、隣接する前記第１感知部の張り出し部と互いに対向することを特徴とする導電シート。
【請求項７】
請求項１〜６のいずれか１項に記載の導電シートにおいて、
前記小格子の一辺の長さが３０〜５００μｍであり、
前記金属細線の線幅が１５μｍ以下であることを特徴とする導電シート。
【請求項８】
請求項１〜７のいずれか１項に記載の導電シートにおいて、
前記基体の厚みが５０μｍ〜３５０μｍであることを特徴とする導電シート。
【請求項９】
表示パネル上に設置される導電シートを備えるタッチパネルであって、
前記導電シートは、
第１導電部と第２導電部とが基体を介して対向して配置され、
前記第１導電部は、一方向に配列された金属細線による２以上の第１導電パターンを有し、
前記第２導電部は、前記一方向と略直交する方向に配列された金属細線による２以上の第２導電パターンを有し、
前記第１導電パターンは、金属細線による２以上の第１感知部が接続されて構成され、
前記第２導電パターンは、金属細線による２以上の第２感知部が接続されて構成され、
前記第１感知部及び第２感知部は、複数の小格子が配列されて構成され、
前記第１感知部は、前記一方向と略直交する方向に延びる帯状部と、
前記帯状部の両側から前記一方向に張り出す張り出し部と、
を有し、
前記第２感知部は、
前記帯状部と前記張り出し部とで区画される領域を略満たすように形成され、
上面から見たとき、前記第１導電パターンと前記第２導電パターンとが対向する部分は、複数の前記小格子が組み合わされた形態を有することを特徴とするタッチパネル。
【請求項１０】
請求項９記載のタッチパネルにおいて、
前記帯状部の幅は、前記帯状部の長さよりも小さいことを特徴とするタッチパネル。
【請求項１１】
請求項９又は１０記載のタッチパネルにおいて、
前記張り出し部の長さは、前記帯状部の幅の１／２以上であることを特徴とするタッチパネル。
【請求項１２】
請求項９〜１１のいずれか１項に記載のタッチパネルにおいて、
前記張り出し部の幅は、前記張り出し部の長さの１／２以下であることを特徴とするタッチパネル。
【請求項１３】
請求項９〜１２のいずれか１項に記載のタッチパネルにおいて、
前記第２感知部の前記一方向と直交する方向の長さは、
前記第２感知部の前記一方向の長さの０．５倍以上２倍以下であることを特徴とするタッチパネル。
【請求項１４】
請求項９〜１３のいずれか１項に記載のタッチパネルにおいて、
前記張り出し部は、隣接する前記第１感知部の張り出し部と互いに対向することを特徴とするタッチパネル。
【請求項１５】
請求項９〜１４のいずれか１項に記載のタッチパネルにおいて、
前記小格子の一辺の長さが３０〜５００μｍであり、
前記金属細線の線幅が１５μｍ以下であることを特徴とするタッチパネル。
【請求項１６】
請求項９〜１５のいずれか１項に記載のタッチパネルにおいて、
前記基体の厚みが５０μｍ〜３５０μｍであることを特徴とするタッチパネル。
【手続補正１３】
【補正対象書類名】図面
【補正対象項目名】図４
【補正方法】変更
【補正の内容】
【図４】
2012238278.tif 000001
【手続補正１４】
【補正対象書類名】図面
【補正対象項目名】図６
【補正方法】変更
【補正の内容】
【図６】
2012238278.tif 000002